(57)【要約】【課題】警報装置は、建物自体に比較的大がかりな工事を行って設備する必要があり、そのコストもかなりのものとなる。また、一旦設備したものを他の場所に移転することは殆どできない。移転する場合にも工事をやり直さなければならず、そのためのコストもかかる。【解決手段】夜間等において不法侵入者に対する警報用として、警報装置１を警報モードで使用する場合は、窓やドアに赤外線センサ１３が対向するように装置本体２を設置して、ＡＣアダプタ３３の端子を通常時用電源としてのコンセントに差し込んでおく。そしてリモコン２９を操作して警報装置１を作動状態とする。振動センサ２３が窓ガラスを割る際に発生する空気振動を検知するか或いは赤外線センサ１３によって侵入者から発生する赤外線が検知された場合にはスピーカ２５から大音量のブザー音が発せられる。【選択図】      図１
2004199311.tif 000002
【特許請求の範囲】
【請求項１】
人が居るか否かを検知する人感センサと、所定の空気振動を検知する振動センサと、前記人感センサによって人の存在が検知されたことを報知する人感センサ検知結果報知手段と、前記振動センサによって所定の空気振動が検知されたことを報知する振動センサ検知結果報知手段と、前記人感センサ、振動センサ、人感センサ検知結果報知手段及び振動センサ検知結果報知手段を収納するハウジングとを具備することを特徴とする警報装置。
【請求項２】
請求項１に記載の警報装置において、通常時用電源としてのコンセントに接続されるプラグと、コンセントからの電力供給が断たれた場合に警報装置の動力源となる緊急時用電源をハウジングに備えたことを特徴とする警報装置。
【請求項３】
請求項１または２に記載した警報装置において、警報装置の停止操作はリモートコントローラによってのみできることを特徴とする警報装置。
【請求項４】
請求項１から３のいずれかに記載の警報装置において、人感センサと振動センサの両方が作動状態となる警報モードと人感センサのみが作動状態となる報知モードとに切り替え可能であることを特徴とする警報装置。
【発明の詳細な説明】
【０００１】
【発明の属する技術分野】
本発明は警報装置に係り、特に設置場所を容易に変更することができる警報装置に関するものである。
【０００２】
【従来の技術】
近年の犯罪の増加に伴い、警報装置を設置することが多くなってきている。警報装置は、不法侵入者に建物の窓ガラスが割られたり、ドアの鍵を壊されたりした場合に作動し、警報を出すようになっている。
【０００３】
【発明が解決しようとする課題】
しかしながら、この種の警報装置は、建物自体に比較的大がかりな工事を行って設備する必要があり、そのコストもかなりのものとなる。また、一旦設備したものを他の場所に移転することは殆どできない。移転する場合にも工事をやり直さなければならず、そのためのコストもかかることになる。
【０００４】
本発明は上記した問題点に鑑みて為されたものであり、低コストで、しかも設置場所を自由に変更することができる警報装置を提供することを目的とする。
【０００５】
【課題を解決するための手段】
この目的を達成するために、請求項１の発明は、人が居るか否かを検知する人感センサと、所定の空気振動を検知する振動センサと、前記人感センサによって人の存在が検知されたことを報知する人感センサ検知結果報知手段と、前記振動センサによって所定の空気振動が検知されたことを報知する振動センサ検知結果報知手段と、前記人感センサ、振動センサ、人感センサ検知結果報知手段及び振動センサ検知結果報知手段を収納するハウジングとを具備することを特徴とする警報装置である。
【０００６】
請求項２の発明は、請求項１に記載の警報装置において、通常時用電源としてのコンセントに接続されるプラグと、コンセントからの電力供給が断たれた場合に警報装置の動力源となる緊急時用電源をハウジングに備えたことを特徴とする警報装置である。
【０００７】
請求項３の発明は、請求項１または２に記載した警報装置において、警報装置の停止操作はリモートコントローラによってのみできることを特徴とする警報装置である。
【０００８】
請求項４の発明は、請求項１から３のいずれかに記載の警報装置において、人感センサと振動センサの両方が作動状態となる警報モードと人感センサのみが作動状態となる報知モードとに切り替え可能であることを特徴とする警報装置である。
【０００９】
【発明の実施の形態】
以下に、本発明の実施の形態に係る警報装置１について説明する。
警報装置１は後述するリモートコントローラ（以下、リモコンという。）２９とリモコン２９以外の部材から成る装置本体２とから構成される。
符号３はハウジングを示し、このハウジング３はかまぼこ状の外形を有しており、その大きさは高さが約５０ｍｍ、幅が約７０ｍｍ、長さが約１５０ｍｍで、重量は約１ｋｇである。
ハウジング３の底板５には多数の小穴７が形成されている。またハウジング３の底板５には４つの脚部６が設けられており、警報装置１の設置部と底板５との間に隙間ができるようになっている。
【００１０】
ハウジング３には基板９が収容されており、この基板９は、その下面とハウジング３の底板５との間に設けられたスペーサ１１によって支持固定されている。基板９には後述する動作を行うための制御回路が設けられている。
符号１３は人感センサとしての焦電型の赤外線センサを示し、この赤外線センサ１３の赤外線感知部はハウジング３の前板１５に形成された穴からが露出している。また、赤外線センサ１３はリード線１７を介して基板９の制御回路に接続されている。
【００１１】
符号１９はレーザーダイオード（以下、ＬＥＤという。）を示し、このＬＥＤ１９の発光部がハウジング３の上部に形成された穴から露出している。ＬＥＤ１９はリード線２１を介して基板９の制御回路に接続されている。
基板９には、振動センサ２３が備えられており、この振動センサ２３は窓ガラスを割る等の不法侵入の際に発生する空気振動を検知するものである。基板９の下面にはスピーカ２５が固定されている。
スピーカ２５と基板９に設けられた制御回路とによって赤外線センサ１３及び振動センサ２３の検知結果報知手段が構成されている。
【００１２】
また、基板９の上面にはリモコン受信部２７が設けられており、このリモコン受信部２７はリモコン２９から発せられる電波信号を受信する。
ハウジング３の後板３０には開口が形成され、この開口に雌コネクタ３１が設けられている。符号３３はＡＣアダプタを示し、このＡＣアダプタ３３には接続コード３５の一端が連結され、他端には雄コネクタ３７が連結されている。
また、ハウジング３の底板５には電池ボックス３９が設けられ、この電池ボックス３９には緊急時用電源としての乾電池４１が収容されている。
【００１３】
ハウジング３の前板１５には切り替えスイッチ４３が設けられ、この切り替えスイッチ４３はリード線４５を介して基板９の制御回路に接続されている。この切り替えスイッチ４３は後述するように警報モードと報知モードとを切り替えるためのものである。
【００１４】
次に、この警報装置１の使用方法について説明する。
夜間等において不法侵入者に対する警報用として、警報装置１を警報モードで使用する場合について説明する。
まず、窓やドアに赤外線センサ１３が対向するように装置本体２を設置して、ＡＣアダプタ３３の端子を通常時用電源としてのコンセントに差し込んでおく。そして、リモコン２９を操作して警報装置１を作動状態とする。作動状態ではＬＥＤ１９が点灯する。
この警報装置１ではリモコン２９によってのみ作動状態と停止状態の切り替えができ、ハウジング３にはオン、オフスイッチは設けられていない。
そして、ハウジング３の前板１５に設けられている切り替えスイッチ４３を操作して警報装置１を警報モードにする。この警報モードでは赤外線センサ１３と振動センサ２３の両方が検知可能な状態となり、スピーカ２５から発せられるのは大音量のブザー音となる。
【００１５】
例えば、窓ガラスを割って不法に侵入する者があった場合、振動センサ２３がガラスを割る際に発生する空気振動を検知する。この検知結果が出るとスピーカ２５から大音量のブザー音が発せられる。なお、多数の小穴７が底板５に形成され、しかも底板５と設置面との間に隙間があるので、空気振動が振動センサ２３に確実に伝わる。
また、赤外線センサ１３によって侵入者から発生する赤外線が検知されて人の存在が検知された場合もスピーカ２５から大音量のブザー音が発せられる。
この警報装置１では、底板５に多数の小穴７が形成され、しかも脚部６が設けられているので底板５と設置面との間に隙間がある。従って、スピーカ２５から発せられる音がハウジング３内にこもることはなく、周囲に十分に伝わる。
【００１６】
上記のように警報モードにおいてスピーカ２５からブザー音が発せられている状態で、ＡＣアダプタ３３がコンセントから引き抜かれるなどして、コンセントからの電力供給が絶たれた場合は、直ちに電力供給源が乾電池４１に自動的に切り替えられる。従って、スピーカ２５からのブザー音が途切れることない。
また、前記したように警報装置１ではリモコン２９によってのみ作動状態と停止状態の切り替えができ、ハウジング３にはオン、オフスイッチは設けられていないので、不法侵入者はブザー音を止めることはできない。
【００１７】
次に、訪問者があった場合の報知用として、警報装置１を報知モードで使用する場合について説明する。
訪問者が入ってくるドアに赤外線センサ１３が対向するように装置本体２を設置して、ＡＣアダプタ３３の端子を通常時用電源としてのコンセントに差し込んでおく。リモコン２９を操作して警報装置１を作動状態とする。作動状態ではＬＥＤ１９が点灯する。
そして、ハウジング３の前板１５に設けられている切り替えスイッチ４３を操作して警報装置１を報知モードにする。この報知モードでは振動センサ２３は停止状態となり、赤外線センサ１３のみが検知可能な状態となって、スピーカ２５から発せられるのは中音量のチャイム音となる。
【００１８】
警報装置１が報知モードとなっている状態で、訪問者がドアを開けて室内に入ってくると赤外線センサ１３によって訪問者から発生する赤外線が検知され人の存在が検知されて、スピーカ２５からチャイム音が発せられて家人に訪問者があったことを報知する。
【００１９】
このように警報装置１では、工事を行うことなく単に設置するだけで使用することができ、小型軽量であるため設置場所を容易に変更でき、また訪問者があったことを報知するためのチャイムとして使用することもできる。
【００２０】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態の警報装置では、人感センサとして焦電型の赤外線センサを用いたが、本発明はこれに限定されず、人体を検出できるセンサであれば温度センサ等、その他のものであってもよい。
【００２１】
上記実施の形態の警報装置１では、リモコンによってのみ作動状態と停止状態の切り替えができる構成としたが、ハウジングに作動状態と停止状態の切り替えができるスイッチを設けてもよい。但し、このスイッチは鍵を用いないと操作できない等、不法侵入者がブザー音を停止させることができない構成にすることが好ましい。
また、上記実施の形態では、スピーカから発せられる音をブザー音とチャイム音としたが、これらに限らずブザー音の代わりにサイレン音等にしてもよく、またチャイム音の代わりに音声等にしてもよい。
【００２２】
【発明の効果】
以上のように、本発明の警報装置は工事を行うことなく単に設置するだけで使用することができる。
また小型軽量であるため設置場所を容易に変更でき、しかも設置場所を自由に変更することが可能である。
さらに、従来の工事を必要とする警報装置に比べて、低コストで製作することができる。
【図面の簡単な説明】
【図１】本発明の実施の形態に係る警報装置の斜視図である。
【図２】図１の縦断面図である。
【符号の説明】
１  警報装置                    ２  装置本体
３  ハウジング                  ５  底板
６  脚部                        ７  小穴
９  基板                      １１  スペーサ
１３  赤外線センサ              １５  前板
１７  リード線                  １９  ＬＥＤ
２１  リード線                  ２３  振動センサ
２５  スピーカ                  ２７  リモコン受信部
２９  リモートコントローラ      ３０  後板
３１  雌コネクタ                ３３  ＡＣアダプタ
３５  接続コード                ３７  雄コネクタ
３９  電池ボックス              ４１  乾電池
４３  切り替えスイッチ          ４５  リード線
【図１】
2004199311.tif 000003
【図２】
2004199311.tif 000004